(57)【要約】【課題】記録再生の品質が良好となる光記録媒体を提供する。【解決手段】トラッキング制御用の凹凸又は溝を有するサーボ層１８と、トラッキング制御用の凹凸を有しない記録再生層１４とを備えており、サーボ層１８に第１波長のトラッキング用ビーム２７０を照射してトラッキング制御を行いながら、記録再生層１４に対して第１波長よりも短い第２波長の記録再生用ビーム１７０を照射して情報が記録又は再生される光記録媒体であって、記録再生層１４を通過させてサーボ層１８に対して第１波長の光を照射した際のサーボ層１８の反射率と比較して、記録再生層１４を透過させてサーボ層１８に対して第２波長の光を照射した際のサーボ層１８の反射率が小さくなるようにした。【選択図】図３
2012208991.tif 000002
【特許請求の範囲】
【請求項１】
トラッキング制御用の凹凸又は溝を有するサーボ層と、予め積層され又は事後的に形成されてトラッキング制御用の凹凸を有しない記録再生層と、を備えており、前記サーボ層に第１波長のトラッキング用ビームを照射してトラッキング制御を行いながら、前記記録再生層に対して前記第１波長よりも短い第２波長の記録再生用ビームを照射して情報が記録又は再生される光記録媒体であって、
前記記録再生層を通過させて前記サーボ層に対して前記トラッキング用ビームの前記第１波長の光を照射した際の前記サーボ層の反射率と比較して、前記記録再生層を透過させて前記サーボ層に対して前記記録再生用ビームの前記第２波長の光を照射した際の前記サーボ層の反射率が小さいことを特徴とする、光記録媒体。
【請求項２】
前記記録再生層に前記記録再生用ビームを照射した際の前記記録再生層からの反射光量と比較して、前記記録再生層を透過させて前記サーボ層に対して前記記録再生用ビームを照射した際の前記サーボ層からの反射光量が５倍以下となることを特徴とする、
請求項１に記載の光記録媒体。
【請求項３】
前記記録再生層に前記記録再生用ビームを照射した際の前記記録再生層からの反射光量と比較して、前記記録再生層を透過させて前記サーボ層に対して前記記録再生用ビームを照射した際の前記サーボ層からの反射光量が小さいことを特徴とする、
請求項１又は２に記載の光記録媒体。
【請求項４】
前記記録再生層と前記サーボ層の層間距離が、１０μｍ〜２００μｍであることを特徴とする、
請求項１乃至３のいずれかに記載の光記録媒体。
【請求項５】
前記記録再生層を通過させて前記サーボ層に対して前記トラッキング用ビームを照射した際の前記サーボ層の反射率が４０％〜９５％であり、前記記録再生層を透過させて前記サーボ層に対して前記記録再生用ビームを仮に照射した際の前記サーボ層の反射率が６０％以下であることを特徴とする、
請求項１乃至４のいずれかに記載の光記録媒体。
【請求項６】
前記サーボ層は、金属を主成分として含む反射膜と、前記反射膜に接して配置され且つ該反射膜と屈折率の異なる補助膜と、を有することを特徴とする、
請求項１乃至５のいずれかに記載の光記録媒体。
【請求項７】
前記サーボ層は、２層以上の前記反射膜と、３層以上の前記補助膜と、を有することを特徴とする、
請求項６のいずれかに記載の光記録媒体。
【請求項８】
前記サーボ層と前記記録再生層の間に、色素を分散又は結合させたフィルタ層を備えており、
前記フィルタ層は、前記トラッキング用ビームの前記第１波長の吸光度が低く、前記記録再生用ビームの前記第２波長の吸光度が高いことを特徴とする、
請求項１乃至７のいずれかに記載の光記録媒体。
【請求項９】
前記記録再生層を第１記録再生層とした場合に、
前記前記サーボ層における前記第１記録再生層と反対側には、予め積層され又は事後的に形成され、トラッキング制御用の凹凸を有しない第２記録再生層を更に備え、
前記第２記録再生層は、前記サーボ層を利用してトラッキング制御を行いながら情報が記録されることを特徴とする、
請求項１乃至８のいずれかに記載の光記録媒体。
【請求項１０】
前記サーボ層は、基板における前記第１記録再生層側に直接形成され、
前記第２記録再生層は、前記基板における前記サーボ層と反対側に形成されることを特徴とする、
請求項９に記載の光記録媒体。
【請求項１１】
前記基板は、光透過性材料によって構成されることを特徴とする、
請求項１０に記載の光記録媒体。
【請求項１２】
前記第１記録再生層と前記第２記録再生層は、前記基板の厚み方向の中心を基準に対称となる位置に予め積層又は事後的に形成されることを特徴とする、
請求項９乃至１１のいずれかに記載の光記録媒体。
【請求項１３】
前記基板の厚さが１０μｍ〜６００μｍであることを特徴とする、
請求項９乃至１２のいずれかに記載の光記録媒体
【発明の詳細な説明】
【技術分野】
【０００１】
本発明は、複数の記録再生層を有する光記録媒体に関する。
【背景技術】
【０００２】
従来、ディジタル動画コンテンツの視聴や、ディジタルデータの記録のために、ＣＤ−ＤＡ、ＣＤ−ＲＯＭ、ＣＤ−Ｒ、ＣＤ−ＲＷ、ＤＶＤ−ＲＯＭ、ＤＶＤ−Ｒ、ＤＶＤ＋／−ＲＷ、ＤＶＤ−ＲＡＭ、Ｂｌｕ−ｒａｙ  Ｄｉｓｃ（ＢＤ）などの光記録媒体が広く利用されている。この中でも、次世代型ＤＶＤ規格の一つとされるＢＤは、記録再生に用いるレーザー光の波長を４０５ｎｍと短くし、対物レンズの開口数を０．８５に設定している。ＢＤ規格に対応した光記録媒体側は、０．３２μｍのピッチでトラックが形成される。このようにすることで、光記録媒体の１つの記録再生層に対して２５ＧＢ以上の記録再生を可能にしている。
【０００３】
ところで、動画やデータの容量は今後益々増大することが予想される。従って、光記録媒体における記録再生層を多層化することで光記録媒体の容量を増大させる方法が検討されている。ＢＤ規格の光記録媒体では、６層〜８層の記録再生層を設けることで、２００ＧＢもの超大容量を実現する技術も報告されている（非特許文献１、２参照）。
【０００４】
一方、光記録媒体において記録再生層を多層化する場合、各記録再生層に対してグルーブ／ランド等のトラッキング制御用の凹凸を形成しようとすると、媒体構成が複雑となり、偏芯調整などの作業が困難になることが懸念される。また、記録再生層を設けるごとに凸凹を形成するための母型となるスタンパが必要となり、多層化すればするほど、このスタンパを使う回数が増え製作コストが増大する。
【０００５】
そこで近年、光記録媒体において、凹凸や溝を有するサーボ層と、凹凸や溝を有しない記録再生層を別々に設けるようにし、トラッキング制御専用のビームを用いてサーボ層からトラッキング信号を得ながら、記録再生専用のビームによって記録再生層に情報を記録する技術が提案されている（特許文献１、２参照）。
【０００６】
また、２層同時読み取りを目的として、凹凸や溝を有する記録層と、凹凸や溝を有しない記録層を交互に積層する技術も提案されている（特許文献３参照）。
【先行技術文献】
【特許文献】
【０００７】
【特許文献１】特開２００８−９７６９３号公報
【特許文献２】特開２００８−９７６９４号公報
【特許文献３】国際公開ＷＯ２００８／０９９７０８
【非特許文献】
【０００８】
【非特許文献１】I. Ichimura et. al., Appl. Opt, 45, 1974-1803 (2006)
【非特許文献２】K. Mishima et. al., Proc. of SPIE, 6282, 62820I (2006)
【発明の概要】
【発明が解決しようとする課題】
【０００９】
特許文献１〜３の技術の場合、例えば、記録再生専用のビームが所望の記録再生層から漏れ出した際に、この漏れ出した光がサーボ層で反射してクロストークを生じさせるという問題があった。特に、記録再生層の層数を増大させると、各記録再生層の反射率を低下させなければならないので、記録再生専用のビームの漏れ出し量が増大するという問題があった。
【００１０】
本発明は上記問題点に鑑みてなされたものであり、サーボ層と記録再生層を有する光記録媒体において、記録再生時の信号品質を向上させることを目的としている。
【課題を解決するための手段】
【００１１】
本発明者らの鋭意研究によって、上記目的は以下の手段によって達成される。
【００１２】
即ち、上記目的を達成する本発明は、トラッキング制御用の凹凸又は溝を有するサーボ層と、予め積層され又は事後的に形成されてトラッキング制御用の凹凸を有しない記録再生層と、を備えており、前記サーボ層に第１波長のトラッキング用ビームを照射してトラッキング制御を行いながら、前記記録再生層に対して前記第１波長よりも短い第２波長の記録再生用ビームを照射して情報が記録又は再生される光記録媒体であって、前記記録再生層を通過させて前記サーボ層に対して前記トラッキング用ビームの前記第１波長の光を照射した際の前記サーボ層の反射率と比較して、前記記録再生層を透過させて前記サーボ層に対して前記記録再生用ビームの前記第２波長の光を照射した際の前記サーボ層の反射率が小さいことを特徴とする、光記録媒体である。
【００１３】
上記目的を達成する上記光記録媒体は、前記記録再生層に前記記録再生用ビームを照射した際の前記記録再生層からの反射光量と比較して、前記記録再生層を透過させて前記サーボ層に対して前記記録再生用ビームを照射した際の前記サーボ層からの反射光量が５倍以下となることを特徴とする。
【００１４】
上記目的を達成する上記光記録媒体は、前記記録再生層に前記記録再生用ビームを照射した際の前記記録再生層からの反射光量と比較して、前記記録再生層を透過させて前記サーボ層に対して前記記録再生用ビームを照射した際の前記サーボ層からの反射光量が小さいことを特徴とする。
【００１５】
上記目的を達成する上記光記録媒体は、前記記録再生層と前記サーボ層の層間距離が、１０μｍ〜２００μｍであることを特徴とする。
【００１６】
上記目的を達成する上記光記録媒体は、前記記録再生層を通過させて前記サーボ層に対して前記トラッキング用ビームを照射した際の前記サーボ層の反射率が４０％〜９５％であり、前記記録再生層を透過させて前記サーボ層に対して前記記録再生用ビームを仮に照射した際の前記サーボ層の反射率が６０％以下であることを特徴とする。
【００１７】
上記目的を達成する上記光記録媒体の前記サーボ層は、金属を主成分として含む反射膜と、前記反射膜に接して配置され且つ該反射膜と屈折率の異なる補助膜と、を有することを特徴とする。
【００１８】
上記目的を達成する上記光記録媒体の前記サーボ層は、２層以上の前記反射膜と、３層以上の前記補助膜と、を有することを特徴とする。
【００１９】
上記目的を達成する上記光記録媒体は、前記サーボ層と前記記録再生層の間に、色素を分散又は結合させたフィルタ層を備えており、前記フィルタ層は、前記トラッキング用ビームの前記第１波長の吸光度が低く、前記記録再生用ビームの前記第２波長の吸光度が高いことを特徴とする。
【００２０】
上記目的を達成する上記光記録媒体は、前記記録再生層を第１記録再生層とした場合に、前記前記サーボ層における前記第１記録再生層と反対側には、予め積層され又は事後的に形成され、トラッキング制御用の凹凸を有しない第２記録再生層を更に備え、前記第２記録再生層は、前記サーボ層を利用してトラッキング制御を行いながら情報が記録されることを特徴とする。
【００２１】
上記目的を達成する上記光記録媒体の前記サーボ層は、基板における前記第１記録再生層側に直接形成され、前記第２記録再生層は、前記基板における前記サーボ層と反対側に形成されることを特徴とする。
【００２２】
上記目的を達成する上記光記録媒体の前記基板は、光透過性材料によって構成されることを特徴とする。
【００２３】
上記目的を達成する上記光記録媒体の前記第１記録再生層と前記第２記録再生層は、前記基板の厚み方向の中心を基準に対称となる位置に予め積層又は事後的に形成されることを特徴とする。
【００２４】
上記目的を達成する上記光記録媒体は、前記基板の厚さが１０μｍ〜６００μｍであることを特徴とする。
【発明の効果】
【００２５】
本発明によれば、サーボ層と記録再生層を有する光記録媒体において、記録再生時の信号品質を向上させることが可能になる。
【図面の簡単な説明】
【００２６】
【図１】本発明の第１実施形態に係る光記録媒体と、その光記録再生を実現する光ピックアップの内部構成を示すブロック図である。
【図２】同光記録媒体の積層構造を示す断面図である。
【図３】（Ａ）は同光記録媒体に対する光記録再生方法の記録手順を拡大して示す断面図であり、（Ｂ）は再生手順を拡大して示す断面図である。
【図４】（Ａ）は第２実施形態に係る光記録媒体の積層構造を示す断面図であり、（Ｂ）は同光記録媒体に対する記録再生手順を拡大して示す断面図である。
【図５】（Ａ）は第２実施形態に係る光記録媒体の積層構造の他の例を示す断面図であり、（Ｂ）は同光記録媒体に対する記録再生手順を拡大して示す断面図である。
【図６】第３実施形態に係る光記録媒体の積層構造を示す断面図である。
【図７】同光記録再生を実現する光ピックアップの全体構成を示す図である。
【図８】実施例に光記録媒体の積層構造を部分的に拡大して示す断面図である。
【図９】実施例と比較例の評価結果を示す表図である。
【図１０】実施例と比較例の再生信号の出力波形を示す図である。
【図１１】本発明の第１実施形態に係る光記録媒体の他の構成例を示す断面図である。
【発明を実施するための形態】
【００２７】
以下、本発明の実施の形態を添付図面を参照して説明する。
【００２８】
図１には、本発明の第１実施形態に係る光記録媒体１０と、この光記録媒体１０の記録再生に用いられるピックアップ９０の構成が示されている。
【００２９】
図２に示されるように、光ピックアップ９０は、記録再生用光学系１００と、トラッキング用光学系２００を備える。記録再生用光学系１００は、光記録媒体１０の記録再生層群１４に対して記録・再生を行う光学系となる。トラッキング用光学系２００は、記録再生用光学系１００を利用して記録再生層群１４に情報を記録する際に、サーボ層１８を利用してトラッキング制御を行う光学系となる。
【００３０】
記録再生用光学系１００の光源１０１から出射された発散性の記録再生用のビーム１７０は、球面収差補正手段１９３を備えたコリメートレンズ１５３を透過し、偏光ビームスプリッタ１５２に入射する。なお、ビーム１７０は青色波長３８０〜４５０ｎｍ（ここでは４０５ｎｍ）となっている。偏光ビームスプリッタ１５２に入射したビーム１７０は、この偏光ビームスプリッタ１５２を透過して、更に４分の１波長板１５４の透過によって円偏光に変換された後、トラッキング用光学系２００のビームスプリッタ２６０に入射する。このビームスプリッタ２６０は、透過率が大きく、且つ反射率が小さく設定されている。具体的に反射率に対する透過率の比率が１０倍又はそれ以上に設定される。従って、ビーム１７０はビームスプリッタ２６０を透過して、対物レンズ１５６で収束ビームに変換される。このビーム１７０は、光記録媒体１０の内部に形成された、記録再生対象となる記録再生層群１４又はサーボ層１８のいずれかに集光される。
【００３１】
対物レンズ１５６の開口はアパーチャ１５５で制限され、開口数ＮＡを０．７０〜０．９０（ここでは０．８５）としている。例えば、記録再生層群１４で反射されたビーム１７０は、対物レンズ１５６、ビームスプリッタ２６０、及び４分の１波長板１５４を透過して往路とは９０度異なる直線偏光に変換された後、偏光ビームスプリッタ１５２で反射される。
【００３２】
偏光ビームスプリッタ１５２で反射されたビーム１７０は、集光レンズ１５９を透過して収束光に変換され、シリンドリカルレンズ１５７を経て、光検出器１３２に入射する。ビーム１７０には、シリンドリカルレンズ１５７を透過する際、非点収差が付与される。
【００３３】
光検出器１３２は、図示しない４つの受光部を有し、それぞれ受光した光量に応じた電流信号を出力する。これら電流信号から、非点収差法によるフォーカス誤差（以下ＦＥとする）信号、再生時に限定されるプッシュプル法によるトラッキング誤差（以下ＴＥとする）信号、光記録媒体１０に記録された情報の再生信号等が生成される。ＦＥ信号およびＴＥ信号は、所望のレベルに増幅および位相補償が行われた後、アクチュエータ１９１および１９２にフィードバック供給されて、フォーカス制御およびトラッキング制御がなされる。なお、記録再生用光学系１００によるトラッキング制御は再生時のみ利用される。
【００３４】
トラッキング用光学系２００の光源２０１から出射された、赤色波長６３０〜６８０ｎｍ（ここでは６５０ｎｍ）となる発散性のトラッキング制御用のビーム２７０は、球面収差補正手段２９３を備えたコリメートレンズ２５３を透過し、偏光ビームスプリッタ２５２に入射する。偏光ビームスプリッタ２５２に入射したビーム２７０は、偏光ビームスプリッタ２５２を透過して、更に４分の１波長板２５４を透過して円偏光に変換された後、ビームスプリッタ２６０で反射される。このビーム２７０は更に対物レンズ１５６で収束ビームに変換されて、光記録媒体１０の内部に形成されたサーボ層１８に集光される。サーボ層１８で反射されたビーム２７０は、対物レンズ１５６を透過してビームスプリッタ２６０で反射し、４分の１波長板２５４において往路とは９０度異なる直線偏光に変換された後、偏光ビームスプリッタ２５２で更に反射される。偏光ビームスプリッタ２５２で反射されたビーム２７０は、集光レンズ２５９を透過して収束光に変換され、シリンドリカルレンズ２５７を経て、光検出器２３２に入射する。ビーム２７０には、シリンドリカルレンズ２５７を透過する際、非点収差が付与される。
【００３５】
光検出器２３２は、図示しない４つの受光部を有し、それぞれ受光した光量に応じた電流信号を出力する。これら電流信号から、プッシュプル法によるトラッキング誤差（ＴＥ）信号が生成される。なお、サーボ層１８にも情報が記録されている場合は、この電流信号から再生信号を生成してもよい。この光検出器２３２側では、フォーカス誤差（ＦＥ）信号を生成する必要はないが、勿論、フォーカス誤差（ＦＥ）信号を生成しても良い。
【００３６】
なお、既に述べたように、ビームスプリッタ２６０は、透過率が大きく且つ反射率が小さく設定されいる。従って、記録再生用光学系１００の光源１０１から出射され、記録再生層群１４のいずれかで反射した戻り光の一部は、ビームスプリッタ２６０で反射してトラッキング用光学系２００側に進む。反対に、トラッキング用光学系２００の光源２０１から出射され、サーボ層１８で反射した戻り光の大部分は、ビームスプリッタ２６０を透過して記録再生用光学系１００側に進む可能性がある。記録再生用光学系１００とトラッキング用光学系２００において、両者の戻り光が混合する場合であっても、記録再生用光学系１００とトラッキング用光学系２００は、光記録媒体１０内において互いに異なる焦点位置となるため、各ビーム１７０、２７０の拡がり角度が異なる。従って、特に図示しない一定形状のスリットやアパーチャを用いてビーム１７０、２７０の一方のみを抽出してから、各光検出器１３２、２３２に入射させることで、混合による影響を除去する。もちろん、波長依存性を有するフィルタによってビーム１７０、２７０を分離しても良い。
【００３７】
とりわけ、記録再生用光学系１００におけるビーム１７０の光記録媒体１０内の焦点位置と、トラッキング用光学系２００のビーム２７０の光記録媒体１０内の焦点位置の差が、常に一定の範囲内に収まるようにすると、上述のスリットやアパーチャを簡潔な構造にできるので、より簡便にビームの分離が可能となる。焦点距離の差を安定させるためには、記録再生用のビーム１７０の焦点位置と、サーボ用のビーム２７０の焦点位置が近い方が、誤差が小さくなるので好ましいと言える。
【００３８】
記録再生用光学系１００による記録再生層群１４への情報の記録時は、トラッキング用光学系２００のＴＥ信号について、所望のレベルに増幅および位相補償が行われた後、アクチュエータ１９１および１９２にフィードバック供給されてトラッキング制御がなされる。この結果、トラッキング用光学系２００のトラッキング制御に基づいて、記録再生用光学系１００が記録再生層群１４に情報を記録するようになっている。なお、本実施形態では、記録再生層群１４に記録済みの情報を再生する際は、記録再生層群１４上の記録マークを利用して記録再生用光学系１００が独自にトラッキング制御するようにしている。一方、トラッキング用光学系２００のトラッキング制御を利用しながら再生することも勿論可能である。
【００３９】
図２には、本実施形態の光記録媒体１０の断面構造が拡大して示されている。
【００４０】
光記録媒体１０は、外径が約１２０ｍｍ、厚みが約１．２ｍｍの円盤形状となっている。この光記録媒体１０は、光入射面１０Ａ側から、カバー層１１、記録再生層群１４及び中間層群１６、バッファ層１７、サーボ層１８、支持基板１２を備えて構成される。
【００４１】
記録再生層群１４は、ここでは第１〜第６記録再生層１４Ａ〜１４Ｆを備えて構成されており、それぞれに情報を記録できる構造となっている。この第１〜第６記録再生層１４Ａ〜１４Ｆは、トラッキング制御用の凹凸や溝を有しない平面構造となっており、第１光学系１００から高エネルギーとなる記録用のビーム１７０が照射されると、記録マークが形成される。なお、この記録再生層群１４の種類として、情報の追記が出来るが書き換えが出来ない追記型記録再生層と、情報の書換が可能な書換型記録再生層がある。
【００４２】
支持基板１２は、光記録媒体に求められる厚み（約１．２ｍｍ）を確保するための、厚さ約１．０ｍｍで直径１２０ｍｍとなる円盤形状の基板であり、この支持基板１２の光入射面１０Ａ側の面にサーボ層１８が形成される。具体的には、支持基板１２における光入射面１０Ａ側に、その中心部近傍から外縁部に向けてランド１８Ａおよびグルーブ１８Ｂが螺旋状に形成される。このランド１８Ａおよびグルーブ１８Ｂが、トラッキング制御用の凹凸（溝）となり、第２光学系２００のビーム２７０がガイドされるようになっている。
【００４３】
なお、支持基板１２の材料としては種々の材料を用いることが可能であり、例えば、ガラス、セラミックス、樹脂を利用できる。これらのうち成型の容易性の観点から樹脂が好ましい。樹脂としてはポリカーボネイト樹脂、オレフィン樹脂、アクリル樹脂、エポキシ樹脂、ポリスチレン樹脂、ポリエチレン樹脂、ポリプロピレン樹脂、シリコーン樹脂、フッ素系樹脂、ＡＢＳ樹脂、ウレタン樹脂等が挙げられる。これらの中でも、加工性などの点からポリカーボネイト樹脂やオレフィン樹脂が特に好ましい。
【００４４】
サーボ層１８は、支持基板１２のトラッキング制御用の凹凸（グルーブおよびランド）の上に反射性の層を形成することによって構成される。記録再生層群１４に対して記録再生用のビーム１７０を照射した際の反射光量と比較して、記録再生用のビーム１７０をサーボ層１８に仮に照射した際の反射光量が５倍以下となるように設定されている。このようにすると、記録再生層群１４に対して記録再生用のビーム１７０を照射した際に、このビーム１７０がサーボ層１８側に漏れ出したとしても、この漏れ光のサーボ層１８における反射光量が減衰されるので、クロストークの影響を極めて小さくすることができる。
【００４５】
更に本実施形態では、トラッキング用ビーム２７０をサーボ層１８に照射した際の反射率と比較して、記録再生用ビーム１７０をサーボ層１８に仮に照射した際のサーボ層１８の反射率が小さく設定されている。即ち、サーボ層１８は、長い波長となる赤色のビーム２７０が照射されると反射率が高くなり、短い波長となる青色のビーム１７０が照射されると反射率が低くなるような波長依存特性を有している。
【００４６】
具体的に、サーボ層１８に対してトラッキング用ビーム２７０を照射した際のサーボ層１８の反射率が４０％〜９５％であり、サーボ層１８に対して記録再生用ビーム１７０を仮に照射した際のサーボ層１８の反射率が６０％以下となるように設定されている。
【００４７】
このような光学特性を有するサーボ層１８の構成例として、少なくともＡｇ、Ａｌ、Ａｕ、Ｃｕのいずれかを主成分として含む反射膜（金属膜）と、この反射膜に隣接して積層される補助膜を備えるようにする。反射膜と補助膜の屈折率と厚みを異ならせることで、長波長（赤色波長）のビーム２７０に関する反射率を高く、短波長（青色波長）のビーム１７０に関する反射率を低くすることができる。サーボ層１８は、金属膜となる反射膜を１層以上積層し、更に補助膜を２層以上積層する事によって３層以上の構造とすることが好ましい。この際、反射膜を支持基板１２側に積層し、補助膜をその上に積層する。例えば、Ａｇの反射膜、Ｓｉの補助膜、ＺｎＳ−ＳｉＯ２の補助膜を支持基板１２側から順番に積層した３層構造も可能である。
【００４８】
更にサーボ層１８は、反射膜を２層以上積層し、補助膜を３層以上積層することによって５層以上の構造とすることも好ましい。この際、第１の反射膜と第２の反射膜の間に、少なくとも１層の補助膜を介在させる。例えば、Ａｇの反射膜、ＺｎＳ−ＳｉＯ２の補助膜、Ｃｕの反射膜、Ｓｉの補助膜、ＺｎＳ−ＳｉＯ２の補助膜を支持基板１２側から順番に積層した５層構造が好ましい。この５層構造にすると、サーボ層１８にも情報を記録する事が可能となる。なお、本実施形態では、ここで例示した５層構造のサーボ層１８を採用している。
【００４９】
このサーボ層１８によれば、長波長のビーム２７０の反射率を高く、短波長のビーム１７０の反射率を低くすることができる。
【００５０】
サーボ層１８における隣接するランド１８Ａ同士又はグルーブ１８Ｂ同士のピッチＰ１は、ここでは０．７４μｍ未満に設定される。具体的にピッチＰ１は０．６μｍ〜０．７μｍの範囲内に設定することが望ましく、より好ましくは０．６４μｍ近傍に設定される。一方で、記録マークのトラックピッチＰ２は、ランド１８Ａ及びグルーブ１８ＢのピッチＰ１の半分（１／２）に設定される。即ち、記録マーク間のトラックピッチＰ２は、０．３７μｍ未満に設定され、望ましくは０．２６μｍ〜０．３５μｍの範囲内に設定され、より好ましくは０．３２μｍ近傍に設定される。結果、記録マーク間のトラックピッチＰ２は、ＢＤ規格との互換性のある０．３２μｍ前後となる。
【００５１】
サーボ層１８のランド１８Ａ同士／グルーブ１８Ｂ同士のピッチＰ１（０．６４μｍ前後）は、比較的長い赤色波長領域のビーム２７０で十分なトラッキングができる大きさとなる。本実施形態では、ランド１８Ａとグルーブ１８Ｂの双方を利用してトラッキングを行う。結果、サーボ層１８のピッチＰ１に対して、記録マークのトラックピッチＰ２は、その半分の０．３２μｍ前後となる。このように、ランド１８Ａとグルーブ１８Ｂをそれぞれ利用してトラッキング制御することで、サーボ層１８のピッチＰ２を小さくしなくても、記録再生層群１４の記録マークのトラックピッチＰ２を小さくできる。
【００５２】
バッファ層１７は、光透過性のアクリル系の紫外線硬化型樹脂により構成されている。このバッファ層１７の厚みは、１０μｍ〜２００μｍに設定されることが好ましい。なお、このバッファ層１７の厚みが１０μｍ以下であると、サーボ層１８と記録再生層群１４が接近しすぎてしまい、互いに悪影響を及ぼしやすくなる。一方、バッファ層１７の厚みが２００μｍ以上になると、バッファ層１７を成膜する工程において厚みの均一性が悪化しやすくなる。ここでは３０μｍに設定されている。
【００５３】
バッファ層１７の光入射面１０Ａ側に積層される第１〜第６記録再生層１４Ａ〜１４Ｆは、それぞれ、追記型記録膜の両外側に誘電体膜を積層した３層構造となっている（図示省略）。なお、この第１〜第６記録再生層１４Ａ〜１４Ｆは、第１光学系１００における青色波長領域（短い波長）のビーム１７０に対して光反射率・吸収率・透過率等が最適化されている。
【００５４】
各記録再生層の誘電体膜は、追記型記録膜を保護するという基本機能に加えて、記録マークの形成前後における光学特性の差を拡大させる役割も果たす。
【００５５】
なお、ビーム１７０を照射した場合に、誘電体膜に吸収されるエネルギーが大きいと記録感度が低下しやすい。従って、これを防止するためには、これらの誘電体膜の材料として、３８０ｎｍ〜４５０ｎｍ（特に４０５ｎｍ）の波長領域において低い吸収係数（ｋ）を有する材料を選択することが好ましい。なお、本実施の形態においては、誘電体膜の材料としてＴｉＯ２を用いている。
【００５６】
誘電体膜に挟まれる追記型記録膜は不可逆的な記録マークが形成される膜であり、記録マークが形成された部分とそれ以外の部分（ブランク領域）は、ビーム１７０に対する反射率が大きく異なる。この結果、データの記録・再生を行うことができる。
【００５７】
追記型記録膜は、Ｂｉ及びＯを含む材料を主成分として形成される。この追記型記録膜は、無機反応膜として機能し、レーザー光の熱による化学的又は物理的な変化で反射率が大きく異なるようになっている。具体的な材料としては、Ｂｉ−Ｏを主成分とするか、又は、Ｂｉ−Ｍ−Ｏ（ただしＭは、Ｍｇ、Ｃａ、Ｙ、Ｄｙ、Ｃｅ、Ｔｂ、Ｔｉ、Ｚｒ、Ｖ、Ｎｂ、Ｔａ、Ｍｏ、Ｗ、Ｍｎ、Ｆｅ、Ｚｎ、Ａｌ、Ｉｎ、Ｓｉ、Ｇｅ、Ｓｎ、Ｓｂ、Ｌｉ、Ｎａ、Ｋ、Ｓｒ、Ｂａ、Ｓｃ、Ｌａ、Ｎｄ、Ｓｍ、Ｇｄ、Ｈｏ、Ｃｒ、Ｃｏ、Ｎｉ、Ｃｕ、Ｇａ、Ｐｂの中から選択される少なくとも１種の元素）を主成分とすることが好ましい。なお、本実施形態では、追記型記録膜の材料として、Ｂｉ−Ｇｅ−Ｏを用いている。
【００５８】
なお、ここでは第１〜第６記録再生層１４Ａ〜１４Ｆにおいて追記型記録膜を採用する場合を示したが、繰り返し記録が可能な相変化記録膜を採用することも可能である。この場合の相変化記録膜は、ＳｂＴｅＧｅを主成分とすることが好ましい。
【００５９】
中間層群１６は、光入射面１０Ａから遠い側から順番に第１〜第５中間層１６Ａ〜１６Ｅを有しており、第１〜第６記録再生層１４Ａ〜１４Ｆの間に積層される。各中間層１６Ａ〜１６Ｅは、アクリル系またはエポキシ系の紫外線硬化型樹脂によって構成される。この中間層１６Ａ〜１６Ｅの膜厚は、積層数を増大させるためには２０μｍ以下に設定することが好ましく、第１中間層１６Ａが１６μｍ、第２中間層１６Ｂが１２μｍ、第３中間層１６Ｃが１６μｍ、第４中間層１６Ｄが１２μｍ、第５中間層１６Ｅが１６μｍとなる。つまり、２種類の膜厚（１６μｍ、１２μｍ）の中間層が交互に積層されている。この結果、第１〜第６記録再生層１４Ａ〜１４Ｆの層間距離として、光入射面側から順番に第１距離（１６μｍ）と、この第１距離と異なる第２距離（１２μｍ）が交互に設定されることになる。また、第１距離と第２距離の差は４μｍに設定される。このようにすると、層間クロストークが低減される。勿論、全ての中間層群１６の膜厚を同じに設定しても良い。
【００６０】
カバー層１１は、中間層群１６と同様に光透過性のアクリル系の紫外線硬化型樹脂により構成されており、３８μｍの膜厚に設定されている。
【００６１】
光記録媒体１０は、上記のように構成される結果、サーボ層１８は、光入射面１０Ａから０．１４０ｍｍ（１４０μｍ）の距離に位置しており、また、記録再生層群１４の中で光入射面１０Ａから最も遠い第１記録再生層１４Ａは、光入射面１０Ａから０．１１ｍｍ（１１０μｍ）の距離に位置しており、第２記録再生層１４Ｂは光入射面１０Ａから９４μｍ、第３記録再生層１４Ｃは光入射面１０Ａから８２μｍ、第４記録再生層１４Ｄは光入射面１０Ａから６６μｍ、第５記録再生層１４Ｅは光入射面１０Ａから５４μｍ、そして、光入射面１０Ａに最も近い第６記録再生層１４Ｆは、光入射面１０Ａから３８μｍの距離に位置することになる。また、記録再生層群１４の全体的な厚み（第１記録再生層１４Ａ〜第６記録再生層１４Ｆ間の距離）は７２μｍとなる。
【００６２】
また、本実施形態の光記録媒体１０では、サーボ層１８が、記録再生層群１４と比較して光入射面１０Ａから遠い位置に配置されている。このようにすると、トラッキング用のランド１８Ａ及びグルーブ１８Ｂが、記録再生層群１４に照射される記録再生用のビーム１７０に悪影響を与えることを低減できる。
【００６３】
次に、本実施形態の光記録媒体１０の製作方法について説明する。
【００６４】
まず、金属スタンパを用いることによる、ポリカーボネイト樹脂の射出成型法により、グルーブおよびランドが形成された支持基板１２を作製する。射出成形の型を利用して、この支持基板１２には、記録再生層群１４のアドレス情報、記録再生パワー等を含む記録条件、記録再生層１４Ａ〜１４Ｆの位置又は層間距離など、媒体製作時に予め保持させておくべき基本情報がプリフォーマットされる。具体的には、ランド１８Ａ又はグルーブ１８Ｂのウォブルを利用して、基本情報がプリフォームされる。なお、支持基板１２の作製は射出成型法に限られず、２Ｐ法や他の方法によって作製しても構わない。
【００６５】
その後、支持基板１２におけるランド１８Ａ又はグルーブ１８Ｂの表面にサーボ層１８を形成する。サーボ層１８は、スパッタリング法や気相成長法を用いて、反射膜及び補助膜を積層する事によって行う。
【００６６】
次に、このサーボ層１８の上にバッファ層１７を形成する。バッファ層１７は、例えば、粘度調整された紫外線硬化型樹脂をスピンコート法等により皮膜し、これに対して紫外線を照射して硬化することにより形成する。なお、紫外線硬化性樹脂の代わりに、光透過性樹脂からなる光透過性シートを接着剤や粘着剤等を用いてサーボ層１８の上に貼り付けることで形成することもできる。また必要に応じて、このバッファ層１７に対して、記録に必要とするグルーブやピットを形成する際は、２Ｐ法によって、スピンコートされる紫外線硬化性樹脂に光透過性樹脂スタンパーを貼りあわせて、この状態で紫外線を照射して硬化させることで、グルーブやピットを形成することが出来る。
【００６７】
次に、第１記録再生層１４Ａを形成する。具体的には、誘電体膜、追記型記録膜、誘電体膜の順に気相成長法を用いて形成する。中でもスパッタリング法を用いることが好ましい。その後、第１記録再生層１４Ａの上に第１中間層１６Ａを形成する。第１中間層１６Ａは、例えば、粘度調整された紫外線硬化型樹脂をスピンコート法等により皮膜し、その後、この紫外線硬化性樹脂に紫外線を照射して硬化することにより形成する。この手順を繰り返すことで、第２記録再生層１４Ｂ、第２中間層１６Ｂ・・・と順番に積層していく。
【００６８】
第６記録再生層１４Ｆまで完成したら、その上にカバー層１１を形成してこの光記録媒体１０が完成する。なおカバー層１１は、例えば、粘度調整されたアクリル系またはエポキシ系の紫外線硬化型樹脂をスピンコート法等により皮膜し、これに対して紫外線を照射して硬化することにより形成する。なお、本実施形態では上記製作方法を説明したが、本発明は上記製作方法に特に限定されるものではなく、他の製作技術を採用することもできる。
【００６９】
次に、図３を参照して、光ピックアップ９０を用いて、第１実施形態の光記録媒体１０を用いた記録再生方法及びその作用について説明する。
【００７０】
＜記録再生層群への記録＞
【００７１】
例えば、サーボ層１８に隣接する第１記録再生層１４Ａに情報を記録する場合、まず、第２光学系２００の赤色波長領域のビーム２７０をサーボ層１８に照射してトラッキングを行う。具体的には、図３（Ａ）に示されるように、サーボ層１８におけるグルーブ１８Ｂとランド１８Ａの双方に対して交互にビーム２７０のスポットを照射してトラッキングを行う。この作業と同時に、第１光学系１００の青色波長領域の記録再生用ビーム１７０を第１記録再生層１４Ａに照射する。
【００７２】
その結果、グルーブ１８Ｂ及びランド１８Ａをトラッキングしながら、このグルーブ１８Ｂ又はランド１８Ａに沿って、第１記録再生層１４Ａに情報が記録される。この際、第１記録再生層１４Ａに照射される記録再生用ビーム１７０の一部は、この第１記録再生層１４Ａを透過してサーボ層１８に到達する。しかしながら、既に述べたように、記録再生層群１４に記録再生用ビーム１７０を照射した際の反射光量と比較して、サーボ層１８に記録再生用ビーム１７０を照射した際の反射光量が５倍以下となるように設定されている。従って、第１記録再生層１４Ａから漏れ出したビーム１７０が、サーボ層１８で反射しても、その反射光の光量は大幅に減衰される。結果、第１記録再生層１４Ａに形成される記録マークに悪影響を及ぼすことを抑制できる。また、サーボ層１８は、記録再生用ビーム１７０の反射を抑制しながらも、トラッキング用ビーム２７０は十分に反射する。具体的には、サーボ層１８において、トラッキング用ビーム２７０の反射率が４０％〜９５％と高く維持しされる。一方、記録再生用ビーム１７０の反射率は６０％以下に抑制している。結果、安定したトラッキング制御が実現される。
【００７３】
なお、サーボ層１８には、光記録媒体１０に関する基本仕様や、情報記録層群１４の積層枚数に関する情報が、記録ピットやＢＣＡ（バーストカッティングエリア）に予め記録されており、トラッキング制御を開始する前に常に読み出すようになっている。光記録媒体に関する基本情報としては、サーボ層１８の位置、第１〜第６記録再生層１４Ａ〜１４Ｆの位置、記録再生層群の層間距離に関するルールを含むようになっている。
【００７４】
第１記録再生層１４Ａに対して、必要な情報の記録が完了した後は、今回の追記情報（記録に関するアドレス情報、コンテンツ情報等）を第１記録再生層１４Ａに記録して完了する。その後、第１記録再生層１４Ａに対する情報の記録を再開する場合は、先ず、この第１記録再生層１４Ａに記録されている管理情報を再生して、前回の記録が完了した位置を確認し、その位置から記録を継続する。このようにして、第１記録再生層１４Ａ〜第６記録再生層１４Ｆのデータ領域の全てに対して情報を記録できる。
【００７５】
＜記録再生層群の再生＞
【００７６】
例えば、サーボ層１８に隣接する第１記録再生層１４Ａに記録されている情報を再生する場合、まず、第２光学系２００の赤色波長領域のビーム２７０をサーボ層１８に照射してトラッキングを行う。具体的には、図３（Ｂ）に示されるように、サーボ層１８におけるグルーブ１８Ｂ及びランド１８Ａに対して、ビーム２７０のスポットを照射してトラッキングを行う。この作業と同時に、第１光学系１００の青色波長領域の記録再生用ビーム１７０を第１記録再生層１４Ａに照射する。
【００７７】
その結果、グルーブ１８Ｂ及びランド１８Ａをトラッキングしながら、このグルーブ１８Ｂ又はランド１８Ａに沿って、第１記録再生層１４Ａに記録されている情報が再生される。この際、第１記録再生層１４Ａに照射される記録再生用ビーム１７０の一部は、この第１記録再生層１４Ａを透過してサーボ層１８に到達する。しかしながら、既に述べたように、記録再生層群１４にビーム１７０を照射した際の反射光量と比較して、サーボ層１８にビーム１７０を仮に照射した際の反射光量が５倍以下となるように設定されている。従って、第１記録再生層１４Ａから漏れ出したビーム１７０が、サーボ層１８で反射しても、その反射光の光量が大幅に減衰されるので、再生信号とのクロストークを大幅に抑制できる。また、サーボ層１８は、記録再生用ビーム１７０の反射を抑制しながらも、トラッキング用ビーム２７０は十分に反射する。具体的には、サーボ層１８において、トラッキング用ビーム２７０の反射率が４０％〜９５％と高く維持しながらも、記録再生用ビーム１７０の反射率が６０％以下に抑制している。結果、記録再生用ビーム１７０の一部がサーボ層１８に漏れ出しても、トラッキング信号の品質は低下しないで済む。このようにして、第１記録再生層１４Ａ〜第６記録再生層１４Ｆのデータ領域に記録されている情報が再生される。
【００７８】
以上、本実施形態の光記録媒体１０によれば、記録再生層群１４に記録再生用ビーム１７０を照射した際の反射率と比較して、サーボ層１８に記録再生用ビーム１７０を仮に照射した際のサーボ層１８の反射率が小さく設定されている。結果、記録再生層群１４に記録再生用ビーム１７０を照射した際、その一部が奥側のサーボ層１８に漏れ出しても、サーボ層１８の反射光量が小さくなるので、記録再生動作に悪影響を及ぼすことを回避できる。
【００７９】
また、本実施形態では、記録再生層群１４に記録再生用ビーム１７０を照射した際の反射光量と比較して、サーボ層１８に記録再生用ビーム１７０を仮に照射した際の反射光量が５倍以下に設定されるので、記録再生層群１４に照射される記録再生用ビーム１７０が奥側のサーボ層１８に漏れ出しても、このサーボ層１８で殆ど吸収又は透過されるようになっている。
【００８０】
一方、この光記録媒体１０では、記録再生層群１４を通過させてサーボ層１８に対してトラッキング用ビーム２７０を照射した際の反射率と比較して、記録再生層群１４を透過させてサーボ層１８に記録再生用ビーム１７０を仮に照射した際の反射率が小さく設定されている。このサーボ層１８を採用すれば、記録再生用ビーム１７０の反射を抑制しながらも、トラッキング用ビーム２７０を十分に反射するので、トラッキング信号の品質低下を防ぐことが可能となる。
【００８１】
特に本実施形態では、上述のように、サーボ層１８の光学特性を波長に依存して変化させるため、金属材料を主たる成分とする反射膜（金属膜）と、この反射膜と屈折率及び膜厚の異なる補助膜を積層した構造となっている。このようにすることで、トラッキング時に必要としない特定波長（ここでは青色波長）の反射光強度を光学的に低減させることができる。
【００８２】
更に光記録媒体１０を上記のように構成する結果、記録再生層群１４とサーボ層１８の層間距離を１０μｍ〜２００μｍまで小さくすることが出来、記録再生層群１４の積層数を増大させることが可能となる。
【００８３】
次に、図４（Ａ）（Ｂ）を参照して、本発明の第２実施形態に係る光記録媒体３１０について説明する。なお、この光記録媒体３１０に関して、第１実施形態の光記録媒体１０と同一又は類似する部分は、図面及び説明中の符号の下二桁を一致させることで、個々の部材の説明を省略し、異なる点を中心に説明する。
【００８４】
この光記録媒体３１０は、光入射面３１０Ａ側から、カバー層３１１、記録再生層群３１４及び中間層群３１６、バッファ層３１７、サーボ層３１８、支持基板３１２を備えて構成される。
【００８５】
サーボ層３１８は、少なくともＡｇ、Ａｌ、Ａｕ、Ｃｕのいずれかを主成分として含む単層の金属膜を備えて構成される。従って、補助膜は備えていない。
【００８６】
バッファ層３１７は、サーボ層３１８と記録再生層群３１４の間に設けられ、光透過性樹脂に対して色素を混練させたり、均一に溶解させたりした材料によって構成される。具体的にバッファ層３１７は、トラッキング用ビーム１７０の第１波長（ここでは６５０ｎｍ）の吸光度が低く、記録再生用ビーム２７０の第２波長（ここでは４０５ｎｍ）の吸光度が高い材料が採用され、波長依存特性を有するフィルタ層として機能するようになっている。ここでは、その材料として、アゾ、ジアゾ、アゾメチンといった黄色となる発色団、助色団をもつ一般的な色素を透明樹脂に分散又は結合させたものを用いている。
【００８７】
この光記録媒体３１０によれば、記録再生層群３１４に照射された記録再生用ビーム１７０が、サーボ層３１８側に漏れ出しても、この漏れ光がサーボ層３１８に到達する前にバッファ層３１７で吸収される。また、この漏れ光が仮にサーボ層３１８で反射しても、その反射光は再びバッファ層３１７で吸収される。
【００８８】
また、この光記録媒体３１０は、サーボ層３１８に対してトラッキング用ビーム２７０を照射した際の反射率と比較して、記録再生用ビーム１７０を照射した際の反射率が小さくなるように設定される。記録再生用ビーム１７０の場合は、サーボ層３１８に到達する前に、バッファ層３１７で吸収されてしまうからである。
【００８９】
以上の結果、本光記録媒体３１０は、再生信号とトラッキング信号の双方の品質を高めることができる。また本光記録媒体３１０では、バッファ層３１７が、記録再生層群３１４よりも奥側に配置される。このようにすると、色素材料に対して漂白を生じさせる紫外線等の外光は、手前側の記録再生層群３１４で吸収されるので、バッファ層３１７に到達しにくい。従って、バッファ層３１７の長期安定性が確保でき、光記録媒体３１０の経時的な劣化を抑制できる。特に有機色素を採用する場合は紫外線の影響が大きいことから、この光記録媒体３１０の構造が好ましい。
【００９０】
なお、本実施形態では、バッファ層３１７が、波長帯域によって吸収率又は透過率が異なるような波長依存特性を有する材料を用いる場合を例示したが、例えば、図５（Ａ）（Ｂ）に示されるように、バッファ層３１７とは別にフィルタ層３１７Ｂを配置し、このフィルタ層３１７Ｂの光透過性樹脂に色素を混練させたりすることで、フィルタ層３１７Ｂに波長依存特性を付加するようにしても良い。
【００９１】
次に、図６を参照して、本発明の第３実施形態に係る光記録媒体４１０について説明する。なお、この光記録媒体４１０に関して、第１実施形態の光記録媒体４１０と同一又は類似する部分は、図面及び説明中の符号の下二桁を一致させることで、個々の部材の説明を省略し、異なる点を中心に説明する。
【００９２】
光記録媒体４１０は第１表面４１０Ａ側から順番に、第１カバー層４１１、第１記録再生層群４１４及び第１中間層群４１６、第１バッファ層４１７、サーボ層４１８、支持基板４１２、第２バッファ層４３７、第２記録再生層群４３４及び第２中間層群４３６、第２カバー層４３１、第２表面４３０Ａを備えて構成される。即ち、第１実施形態の光記録媒体１０と比較すると、この光記録媒体４１０は、支持基板４１２を基準とした第２表面４３０Ａ側にも第２バッファ層４３７、第２記録再生層群４３４及び第２中間層群４３６、第２カバー層４３１を備えた構造となる点で異なっている。
【００９３】
支持基板４１２は、ここでは厚みが９００μｍに設定されており、第１表面４１０Ａ側には、その中心部近傍から外縁部に向けてランド４１８Ａおよびグルーブ４１８Ｂが螺旋状に形成される。
【００９４】
サーボ層４１８は、少なくともＡｇ、Ａｌ、Ａｕ、Ｃｕのいずれかを主成分として含む単層の金属膜を備えて構成される。従って、補助膜は備えていない。サーボ層４１８のランド４１８Ａ同士又はグルーブ４１８Ｂ同士のピッチＰ１は、０．６４μｍ近傍に設定される。一方で、記録マークのトラックピッチＰ２は、ランド４１８Ａ及びグルーブ４１８ＢのピッチＰ１の半分（１／２）に設定される。即ち、記録マーク間のトラックピッチＰ２は０．３２μｍ近傍に設定される。結果、記録マーク間のトラックピッチＰ２は、ＢＤ規格との互換性のある０．３２μｍ前後となる。
【００９５】
本実施形態では、ランド４１８Ａとグルーブ４１８Ｂの双方を利用してトラッキングを行う。結果、サーボ層４１８のピッチＰ１に対して、記録マークのトラックピッチＰ２は、その半分の０．３２μｍ前後となる。
【００９６】
第１バッファ層４１７は、膜厚が３０〜４０μｍに設定されており、光透過性樹脂に対して色素を混練させたり、均一に溶解濃させたりして、分散又は結合させた材料によって構成される。具体的に第１バッファ層４１７は、トラッキング用ビームとなる第１波長（ここでは６５０ｎｍ）の吸光度が低く、記録再生用ビームとなる第２波長（ここでは４０５ｎｍ）の吸光度が高い材料が採用される。ここでは、その材料として、アゾ、ジアゾ、アゾメチンといった黄色となる発色団、助色団をもつ一般的な色素を透明樹脂に分散又は結合させたものを採用している。
【００９７】
第１カバー層４１１は、光透過性のアクリル系の紫外線硬化型樹脂により構成されており、４０μｍの膜厚に設定されている。
【００９８】
第２バッファ層４３７は、膜厚が２０〜４０μｍに設定されており、光透過性樹脂に対して色素を混練させたり、均一に溶解させたりした材料によって構成される。具体的に第２バッファ層４３７は、トラッキング用ビームとなる第１波長（ここでは６５０ｎｍ）の吸光度が低く、記録再生用ビームとなる第２波長（ここでは４０５ｎｍ）の吸光度が高い材料が採用される。ここでは、その材料として、アゾ、ジアゾ、アゾメチンといった黄色となる発色団、助色団をもつ一般的な色素を透明樹脂に分散又は結合させたものを採用している。
【００９９】
第２バッファ層４３７の第２表面４３０Ａ側に積層される第２記録再生層群４３４（Ｌ０〜Ｌ５記録再生層４３４Ａ〜４３４Ｆ）、及び第２中間層群４３６は、第１記録再生層群４１４及び第２中間層群４１６と殆ど同じ構造となっている。
【０１００】
第２カバー層４３１は、光透過性のアクリル系の紫外線硬化型樹脂により構成されており、４０μｍの膜厚に設定されている。
【０１０１】
上記のように構成される結果、光記録媒体４１０における支持基板４１２と第１バッファ層４１７との境界（サーボ層４１８）は、第１表面４１０Ａから約１５０μｍの距離に位置する。また、第１記録再生層群４１４の中で第１表面４１０Ａから最も遠いＬ０記録再生層４１４Ａは、第１表面４１０Ａから１１２μｍの距離に位置しており、Ｌ１記録再生層４１４Ｂは第１表面４１０Ａから９６μｍ、Ｌ２記録再生層４１４Ｃは第１表面４１０Ａから８４μｍ、Ｌ３記録再生層４１４Ｄは第１表面４１０Ａから６８μｍ、Ｌ４記録再生層４１４Ｅは第１表面４１０Ａから５６μｍ、そして、第１表面４１０Ａに最も近いＬ５記録再生層４１４Ｆは、第１表面４１０Ａから４０μｍの距離に位置する。また、第１記録再生層群４１４の全体的な厚み（Ｌ０記録再生層４１４Ａ〜Ｌ５記録再生層４１４Ｆ間の距離）は７２μｍとなる。
【０１０２】
また、第２記録再生層群４３４の中で第２表面４３０Ａから最も遠いＬ０記録再生層４３４Ａは、第２表面４３０Ａから１１２μｍの距離に位置しており、Ｌ１記録再生層４３４Ｂは第２表面４３０Ａから９６μｍ、Ｌ２記録再生層４３４Ｃは第２表面４３０Ａから８４μｍ、Ｌ３記録再生層４３４Ｄは第２表面４３０Ａから６８μｍ、Ｌ４記録再生層４３４Ｅは第２表面４３０Ａから５６μｍ、そして、第２表面４３０Ａに最も近いＬ５記録再生層４３４Ｆは、第２表面４３０Ａから４０μｍの距離に位置する。また、第２記録再生層群４３４の全体的な厚み（Ｌ０記録再生層４３４Ａ〜Ｌ５記録再生層４３４Ｆ間の距離）は７２μｍとなる。
【０１０３】
この光記録媒体４１０は、サーボ層４１８が非対称に配置されることを除けば、厚さ方向に対称構造となっている。結果、光記録媒体４１０を製作時に生じる内部応力が、厚さ方向に対称に発生することから、反りや変形を小さくすることが可能になる。特に、支持基板４１２を６００μｍ以下、例えば１００μｍまで薄くしても、光記録媒体４１０の反りや変形量を抑制することが可能となる。
【０１０４】
図７には、第３実施形態の光記録媒体４１０の記録再生に用いられる第１、第２光ピックアップ９０Ａ、９０Ｂの構成が示されている。第１光ピックアップ９０Ａは、光記録媒体４１０の一方の第１表面４１０Ａ側からビームを照射する。第２光ピックアップ９０Ｂは、光記録媒体４１０の他方の第２表面４３０Ａ側からビームを照射する。なお、第１、第２光ピックアップ９０Ａ、９０Ｂの内部構成は、第１実施形態で示した光ピックアップ９０と略同じであることから、第１光ピックアップ９０Ａ側は図中又は文章中の符号の末尾にＡを付し、第２光ピックアップ９０Ｂ側は図中又は文章中の符号の末尾にＢを付することで、これらの図示及び説明を省略する。
【０１０５】
第１光ピックアップ９０Ａは、記録再生用光学系１００Ａと、トラッキング用光学系２００Ａを備える。記録再生用光学系１００Ａは、光記録媒体４１０の第１記録再生層群４１４に対して記録再生用ビーム１７０Ａを照射して、記録・再生を行う光学系となる。トラッキング用光学系２００Ａは、記録再生用光学系１００Ａを利用して第１記録再生層群４１４に情報を記録する際に、サーボ層４１８に対してトラッキング用ビーム２７０Ａを照射してトラッキング制御を行う光学系となる。
【０１０６】
第２光ピックアップ９０Ｂは、記録再生用光学系１００Ｂと、トラッキング用光学系２００Ｂを備える。記録再生用光学系１００Ｂは、光記録媒体４１０の第２記録再生層群４３４に対して記録再生用ビーム１７０Ｂを照射して、記録・再生を行う光学系となる。トラッキング用光学系２００Ａは、記録再生用光学系１００Ａを利用して第１記録再生層群４１４に情報を記録する際に、サーボ層４１８に対してトラッキング用ビーム２７０Ｂを照射してトラッキング制御を行う光学系となる。
【０１０７】
次に、第１、第２光ピックアップ９０Ａ、９０Ｂを用いて、光記録媒体４１０に情報を記録再生する方法について説明する。
【０１０８】
＜第１記録再生層群の記録再生＞
【０１０９】
例えば、第１記録再生層群４１４のＬ０記録再生層４１４Ａに対して情報の記録再生を行う場合、まず、第１光ピックアップ９０Ａの赤色波長領域のトラッキング用ビーム２７０Ａをサーボ層１８に照射してトラッキングを行う。具体的には、図６に示されるように、サーボ層４１８におけるグルーブ４１８Ｂ及びランド４１８Ａに対して、トラッキング用ビーム２７０Ａのスポットを照射してトラッキングを行う。この作業と同時に、第１光ピックアップ９０Ａの青色波長領域の記録再生用ビーム１７０Ａを、Ｌ０記録再生層４１４Ａに照射することで、Ｌ０記録再生層４１４Ａに対して記録又は再生を行う。
【０１１０】
この際、第１記録再生層群４１４に照射された記録再生用ビーム１７０Ａが、サーボ層４１８側に漏れ出しても、この漏れ光がサーボ層４１８に到達する前に第１バッファ層４１７で吸収される。また、この漏れ光が仮にサーボ層４１８で反射しても、その反射光は再び第１バッファ層４１７で吸収される。一方、第１バッファ層４１７は、赤色波長のトラッキング用ビーム２７０Ａを積極的に透過することで、トラッキング信号の光量を増大させる。結果、安定したトラッキング制御が実現される。
【０１１１】
＜第２記録再生層群の記録再生＞
【０１１２】
第２記録再生層群４３４のＬ０記録再生層４３４Ａに情報を記録する場合、まず、第２光ピックアップ９０Ｂの赤色波長領域のトラッキング用ビーム２７０Ｂを、この支持基板４１２を透過しながらサーボ層４１８に照射してトラッキングを行う。具体的には、図６に示されるように、サーボ層４１８におけるランド１８Ａ及びグルーブ４１８Ｂに対して、トラッキング用ビーム２７０Ｂのスポットを照射してトラッキングを行う。この作業と同時に、第２光ピックアップ９０Ｂの青色波長領域の記録再生用ビーム１７０ＢをＬ０記録再生層４３４Ａに照射することで、Ｌ０記録再生層４３４Ａに対して記録又は再生を行う。
【０１１３】
この際、第２記録再生層群４３４に照射された記録再生用ビーム１７０Ｂが、サーボ層４１８側に漏れ出しても、この漏れ光がサーボ層４１８に到達する前に第２バッファ層４３７で吸収される。また、この漏れ光が仮にサーボ層４１８で反射しても、その反射光は再び第２バッファ層４３７で吸収される。一方、第２バッファ層４３７は、赤色波長のトラッキング用ビーム２７０Ｂを積極的に透過することで、トラッキング信号の光量を増大させる。結果、安定したトラッキング制御が実現される。
【０１１４】
なお、第１記録再生層群４１４と第２記録再生層群４１６に対して、同時に記録又は再生を行うことも可能である。これにより記録又は再生の転送レートが２倍になる。
【０１１５】
以上、第３実施形態の光記録媒体４１０によれば、支持基板４１２の一方の面のみにサーボ層４１８が形成され、更に、この支持基板４１２の両面に第１記録再生層群４１４と第２記録再生層群４３４が配置されている。結果、第１、第２記録再生層群４１４、４３４を形成する際の内部応力が、支持基板４１２の両側に分散されるので、光記録媒体４１０の反りや変形を抑制することができる。なお、このように内部応力を分散させることにより、支持基板１２の厚さを１０μｍ〜１０００μｍの範囲内、好ましくは１０μｍ〜６００μｍの範囲内に設定しても、光記録媒体４１０の反りを抑制することが可能となる。
【０１１６】
この際、支持基板４１２の両側にトラッキング用の凹凸を形成しようとすると、この支持基板４１２の製作工程自体が複雑化し、支持基板４１２の精度が悪化しやすくなる。そこで本実施形態では、トラッキング用の凹凸を支持基板４１２の片面側に形成し、支持基板４１２の製作を簡潔化することで精度を高めている。また、サーボ層４１８を両側の第１、第２記録再生層群４１４、４３４で共用するようにしているので、第１、第２記録再生層群４１４、４３４の各記録再生層に対して、トラッキング用の凹凸を形成する必要が無くなる。結果、光記録媒体４１０の形状精度を一層高めることが可能となる。支持基板４１２の両側に第１記録再生層群４１４と第２記録再生層群４３４を配置しているので、記録容量を増大させることも可能になる。
【０１１７】
更に光記録媒体４１０では、トラッキング用の赤色波長のビーム２７０Ａ、２７０Ｂを照射した場合のサーボ層４１８の反射率は、仮に記録再生用のビーム１７０Ａ、１７０Ｂをサーボ層４１８に照射した場合の反射率と比較して大きく設定されている。具体的にこれを実現する為に、第１、第２バッファ層４１７、４３７に関して、ビームの波長が短いほど光吸収量が大きくなる材料が用いられている。このようにすると、青色波長となる記録再生用のビーム１７０Ａ、１７０Ｂが、仮にサーボ層１８側に入射しても、第１、第２バッファ層４１７、４３７で吸収されるので、サーボ層４１８に到達する漏れ光の光量及びサーボ層４１８から反射される反射光量を減衰できる。一方、赤色波長となるトラッキング用のビーム２７０Ａ、２７０Ｂは、第１、第２バッファ層４１７、４３７を積極的に透過できるので、サーボ層４１８からの反射光量を増大させることができる。結果、記録再生用のビーム１７０Ａ、１７０Ｂとトラッキング用のビーム２７０Ａ、２７０Ｂのクロストークが低減され、再生信号の品質を高められると同時に、安定したトラッキング制御が実現される。
【０１１８】
また、ここで示したように、記録再生用のビーム１７０Ａ、１７０Ｂをサーボ層４１８に仮に照射した場合の反射率が小さくすることは、結果として、第１、第２バッファ層４１７、４３７の厚みを薄くできることに繋がる。本実施形態では、具体的に、好ましくは２００μｍ以下、望ましくは１００μｍ以下、更に望ましくは５０μｍ以下にすることが可能になる。このように第１、第２バッファ層４１７、４３７の厚みを薄くできると、その分だけ、第１、第２バッファ層４１７、４３７を成膜する時の膜厚誤差を小さくできる。同時に、支持基板４１２の厚みを大きくすることができるので、光記録媒体４１０の製作時の反りを一層低減させることが可能となる。
【０１１９】
更にこの光記録媒体４１０では、第１バッファ層４１７と第２バッファ層４３７の厚みが、略同じに設定されている。結果、第１、第２バッファ層４１７、４３７の形成工程中の支持基板４１２の反りを抑制することができる。これは、支持基板４１２を薄くしたり、剛性の低い材料で構成したりできることを意味し、その分だけ第１記録再生層群４１４と第２記録再生層群４３４の層数を増大させることが可能となる。
【０１２０】
また光記録媒体４１０の第１記録再生層群４１４と第２記録再生層群４３４は、支持基板４１２の中心を基準として、厚み方向に対称位置に積層されている。従って、第１、第２記録再生層群４１４、４３４に生じる内部応力も対称になるので、光記録媒体４１０の反りを抑制できることになる。
【０１２１】
なお、本第３実施形態の光記録媒体４１０を製作する際は、第１バッファ層４１７と第２バッファ層４３７、第１記録再生層群４１４と第２記録再生層群４３４、第１中間層群４１６と第２中間層群４３６を、両側の面において同時に形成していくことが好ましい。結果、紫外線硬化時の発生する内部応力が、支持基板４１２の両側に均等に作用するので、光記録媒体４１０の反りを一層低減できることになる。
【０１２２】
なお、本実施形態では、第１、第２バッファ層４１７、４３７において、赤色波長と青色波長で光吸収率が異なる特性を付与し、結果的に、サーボ層４１８の反射率が、トラッキング用ビームと記録再生用ビームで異なるようにしたが、本発明はこれに限定されない。例えば、サーボ層４１８に形成される反射膜自体に、波長によって反射率が異なるような波長依存特性を付与するようにしても良い。また、第１、第２バッファ層４１７、４３７とは別に、光透過率や吸収率の波長依存特性を有するフィルタ層を別途形成するようにしても良く、また、基板材料に波長依存特性を付与させても良い。
【実施例】
【０１２３】
第１実施形態の光記録媒体１０の特性を簡易的に確認することを目的として、この光記録媒体を実際に作成し、一般的なスペクトロメーターとしての機能をもつ光ディスク業界で標準的な光ディスク用測定機ＥＴＡ−ｏｐｔｉｃ（独Ｓｔｅａｇ社製）を用いて評価を行った。具体的には、この光記録媒体のサーボ層に対して、記録再生用のレーザーダイオードの波長４０５ｎｍ付近の反射率と、トラッキング用のレーザーダイオードの波長６５０ｎｍ付近の反射率の測定を行った。この結果、青色波長（４０５ｎｍ）の反射率は９％、赤色波長（６５０ｎｍ）の反射率は５２％となり、サーボ層に対して記録再生用ビームの波長の光を照射した際のサーボ層の反射率が、トラッキング用ビームの波長の光を照射した時よりも小さいことを確認した。
【０１２４】
更に、このサーボ層の反射率をより詳細に確認する為に、サーボ層の各金属膜及び補助膜を形成しない（透明サーボ層となる）計算用ディスクを別途作成し、同じように反射率を評価した。この計算用ディスクと上記通常の光記録媒体の反射率の差分をとれば、サーボ層独自の反射率特性を分析できる。この計算用ディスクによる反射率の測定では、青色波長（４０５ｎｍ）が１４％、赤色波長（６５０ｎｍ）では３２％となった。更に、通常の光記録媒体と計算用ディスクとの光学的な差分（これは単純な引き算ではなく、様々な状況を想定した光学的な差分を意味している）を算定すると、サーボ層からの独自の反射率の成分は、青色波長で１％以下、赤色波長２０％程度となった。即ち、実際の光記録媒体におけるサーボ層からの反射に関しては、トラッキング用ビームの波長の反射率に対して、記録再生用ビームの波長の反射率が大幅に小さいことを確認した。
【０１２５】
次に、更に実際の信号処理特性に近い状態での検証を行うために、実施例１、２に係る光記録媒体として、第１実施形態で示した光記録媒体１０の記録再生層群１４の積層数を単層としたものを製作した。即ち、この光記録媒体１０は、図８に示されるように、カバー層１１と、記録再生層１４と、バッファ層１７と、サーボ層１８と、支持基板１２を備えるようにした。
【０１２６】
なお、実施例１のサーボ層１８は、Ａｇの反射膜、ＺｎＳ−ＳｉＯ２の補助膜、Ｃｕの反射膜、Ｓｉの反射膜、ＺｎＳ−ＳｉＯ２の補助膜を積層した５層構造膜を採用し、全体の膜厚を１１９ｎｍとした。なお、そのうちのＡｇの反射膜及びＣｕの反射膜の合計厚みを９１ｎｍとした。また実施例１では、バッファ層１７の厚みを３０μｍとした。実施例２では、サーボ層１８におけるＡｇの反射膜及びＣｕの反射膜の合計厚みは同じく９１ｎｍとする一方で他の補助膜の厚みを変えた。また、バッファ層１７の厚みも４０μｍに変更した。
【０１２７】
また、実施例３に係る光記録媒体として、第２実施形態で示した光記録媒体３１０の記録再生層群１４の積層数を単層としたものを製作した。この実施例３のサーボ層１８には、膜厚８０ｎｍのＡｇ合金の単層金属膜を採用し、バッファ層１７には、アゾ骨格などといった黄色の発色団、助色団をもつ一般的な色素を、上記透明アクリル系樹脂材料に混合したものを用いた。この材料は、トラッキング用ビーム１７０の第１波長（ここでは６５０ｎｍ）の吸光度が低く、記録再生用ビーム２７０の第２波長（ここでは４０５ｎｍ）の吸光度が高い材料とした。
【０１２８】
なお、実施例１〜３の全てにおいて、記録再生層１４はＢｉ−Ｇｅ−Ｏを材料に用いて構成した。また、記録再生層１４の再生信号の評価を行うために、記録再生層１４に敢えて信号品質評価用のランド１９Ａ及びグルーブ１９Ｂを形成し、このランド１９Ａ及びグルーブ１９Ｂを利用したトラッキング信号の品質を評価することで、再生信号の品質を間接的に評価する手法を採用した。
【０１２９】
一方、比較例１〜３の光記録媒体として、バッファ層１７に光吸収機能を付加せずに、サーボ層１８を金属の単層膜を採用した光記録媒体を製作した。比較例１のサーボ層１８は膜厚８０ｎｍのＡｇ合金の金属膜とし、比較例２のサーボ層１８は膜厚２０ｎｍのＡｇ合金の金属膜とし、比較例３のサーボ層１８は膜厚１０ｎｍのＡｇ合金の金属膜とした。
【０１３０】
各光記録媒体の評価方法として、青色波長となる記録再生用ビーム１７０を記録再生層１４に照射し、ランド１９Ａ又はグルーブ１９Ｂのトラッキング信号を含む反射光を光検出器１３２による電圧変動で検出し、トラッキング制御の可否と、トラッキング信号中のノイズ量について判定を行った。記録再生層１４の反射光に含まれるトラッキング信号でランド１９Ａ又はグルーブ１９Ｂを追従できれば、記録再生層１４の再生信号の品質も良好であると推測できる。同様に、このトラッキング信号に含まれるノイズが少なければ、再生信号の品質が良好であると推測できる。なお、記録再生層１４に照射される青色波長の記録再生用ビーム１７０の一部はサーボ層１８側に漏れ出し、この漏れ光がサーボ層１８で強く反射すると、トラッキング信号に含まれるノイズが増大する。
【０１３１】
また、参考として、記録再生用ビーム１７０を記録再生層１４に照射した場合の反射光量と、この記録再生用ビーム１７０サーボ層１８に直接照射した場合の反射光量を確認し、両者の倍率を評価した。また、サーボ層１８に対して、青色波長（４０５ｎｍ）の記録再生用ビーム１７０と赤色波長（６５０ｎｍ）のトラッキング用ビーム２７０を照射して、ぞれぞれの反射率を確認し、高い・中間・低いの３段階で評価した。なお、評価装置には、光ディスク業界で標準的な検査器であるパルステック工業性光ディスク検査器ＯＤＵ１０００を用いた。
【０１３２】
以上の評価結果を図９に示す。実施例１では、記録再生用ビーム１７０をサーボ層１８に照射した際の反射光量が７４．０ｍＶとなり、記録再生用ビーム１７０を記録再生層１４に照射した際の反射光量が８４．５ｍＶとなり、記録再生層１４の反射光量に対するサーボ層１８の反射光量の比率が０．９倍となった。更に、この反射光（トラッキング信号）を利用したトラッキングは良好であり、このトラッキング信号に含まれるノイズも少なかった。なお、サーボ層１８に対して、青色波長（４０５ｎｍ）の記録再生用ビーム１７０を照射した場合の反射率は低くなり、赤色波長（６５０ｎｍ）のトラッキング用ビーム２７０を照射した場合の反射率は高くなった。
【０１３３】
実施例２では、記録再生用ビーム１７０をサーボ層１８に照射した際の反射光量が１１２．０ｍＶとなり、記録再生用ビーム１７０を記録再生層１４に照射した際の反射光量が１６０．０ｍＶとなり、記録再生層１４の反射光量に対するサーボ層１８の反射光量の比率が０．７倍となった。更に、この反射光（トラッキング信号）を利用したトラッキングは良好であり、このトラッキング信号に含まれるノイズも極めて少なかった。なお、サーボ層１８に対して、青色波長（４０５ｎｍ）の記録再生用ビーム１７０を照射した場合の反射率は低くなり、赤色波長（６５０ｎｍ）のトラッキング用ビーム２７０を照射した場合の反射率は高くなった。
【０１３４】
実施例３では、記録再生用ビーム１７０をサーボ層１８に照射した際の反射光量が７４０．０ｍＶとなり、記録再生用ビーム１７０を記録再生層１４に照射した際の反射光量が１６０．５ｍＶとなり、記録再生層１４の反射光量に対するサーボ層１８の反射光量の比率が４．５倍となった。更に、この反射光（トラッキング信号）を利用したトラッキングは良好であり、このトラッキング信号に含まれるノイズも少なかった。なお、サーボ層１８に対して、青色波長（４０５ｎｍ）の記録再生用ビーム１７０を照射した場合の反射率は低くなり、赤色波長（６５０ｎｍ）のトラッキング用ビーム２７０を照射した場合の反射率は高くなった。この実施例３から、記録再生層１４の反射光量に対するサーボ層１８の反射光量の比率が５倍以下であれば、信号品質を良好に維持できることが分かる。また実施例１、２からこの比率が１倍以下であれば非常に良好に維持できることが分かる。
【０１３５】
比較例１では、記録再生用ビーム１７０をサーボ層１８に照射した際の反射光量が５０００．０ｍＶとなり、記録再生用ビーム１７０を記録再生層１４に照射した際の反射光量が２１６．０ｍＶとなり、記録再生層１４の反射光量に対するサーボ層１８の反射光量の比率が２３．１倍となった。更に、この反射光（トラッキング信号）を利用したトラッキングは不可であり、このトラッキング信号に含まれるノイズも極めて大きかった。なお、サーボ層１８に対して、青色波長（４０５ｎｍ）の記録再生用ビーム１７０を照射した場合の反射率は高くなり、赤色波長（６５０ｎｍ）のトラッキング用ビーム２７０を照射した場合の反射率も高くなった。
【０１３６】
比較例２では、記録再生用ビーム１７０をサーボ層１８に照射した際の反射光量が１６１５．０ｍＶとなり、記録再生用ビーム１７０を記録再生層１４に照射した際の反射光量が２１６．０ｍＶとなり、記録再生層１４の反射光量に対するサーボ層１８の反射光量の比率が１９．７倍となった。更に、この反射光（トラッキング信号）を利用したトラッキングは悪い状態であり、このトラッキング信号に含まれるノイズも極めて大きかった。なお、サーボ層１８に対して、青色波長（４０５ｎｍ）の記録再生用ビーム１７０を照射した場合の反射率は中程度なり、赤色波長（６５０ｎｍ）のトラッキング用ビーム２７０を照射した場合の反射率も中程度なった。
【０１３７】
比較例３では、記録再生用ビーム１７０をサーボ層１８に照射した際の反射光量が９３０．０ｍＶとなり、記録再生用ビーム１７０を記録再生層１４に照射した際の反射光量が１７４．５ｍＶとなり、記録再生層１４の反射光量に対するサーボ層１８の反射光量の比率が５．３倍となった。更に、この反射光（トラッキング信号）を利用したトラッキングは可能であったが、このトラッキング信号に含まれるノイズが極めて大きかった。なお、サーボ層１８に対して、青色波長（４０５ｎｍ）の記録再生用ビーム１７０を照射した場合の反射率は極めて低くなるが、赤色波長（６５０ｎｍ）のトラッキング用ビーム２７０を照射した場合の反射率も低くなってしまった。即ち、実施例３と比較例３を比較すると、記録再生層１４の反射光量に対するサーボ層１８の反射光量の比率が５倍を超えると、比較例３のように信号特性が悪化し、５倍以下になると実施例３のように信号特性が良好になることが分かる。
【０１３８】
なお、図１０（Ａ）の画面出力の下段に示される信号波形は、実施例１のトラッキング信号であり、ノイズ成分が少なく信号品質が極めて良好であることが分かる。一方、図１０（Ｂ）の画面出力の下段に示される信号波形は、比較例１のトラッキング信号であり、ノイズ成分が多く信号品質が悪いことが分かる。
【０１３９】
以上の全ての実施形態では、各記録再生層として、予め記録膜が成膜されている場合に限って示したが、本発明はこれに限定されない。例えば図１１に示される光記録媒体５１０のように、将来の記録再生層群となり得る場所の全体を、所定の厚みを有するバルク層５１３とすることができる。このバルク層５１３に記録用ビーム１７０が照射されると、ビームスポットの焦点部分のみが状態変化をおこして記録マークが形成される。即ち、本発明における光記録媒体は、ビームが照射される記録再生層が予め形成されたものに限られず、平面領域に記録マークが随時形成され、この記録マークの集合体として、記録再生層群５１４が事後的に多層構成される場合も含んでいる。光記録媒体５１０にバルク層５１３の構造を採用することにより、バルク層５１３の範囲内であれば、記録再生層の位置を自由に設定できる。第３実施形態で示した光記録媒体４１０でも同様のバルク構造を採用することができる。
【０１４０】
また本実施形態では、トラッキング用のビームの波長が赤色帯域と、記録再生用のビーム波長が青色帯域となる場合を示したが、本発明はこれに限定されず、他の波長領域のビームを採用しても良い。
【０１４１】
また本実施形態では、記録再生層群において、２種類の層間距離（１６μｍ、１２μｍ）を交互に設定する場合を示したが、本発明はこれに限定されず、３種類以上の層間距離を組み合わせても良い。勿論、全て同じ膜厚に設定しても良い。
【産業上の利用可能性】
【０１４２】
本発明の光記録媒体等は、サーボ層と記録再生層を有する各種光記録媒体に適用することができる。
【符号の説明】
【０１４３】
１０、３１０、４１０、５１０              光記録媒体
１１、３１１              カバー層
１２、３１２              支持基板
１４、３１４              記録再生層群
１６、３１６              中間層群
１７、３１７            バッファ層
１８、３１８              サーボ層
４１２              支持基板
４１４              第１記録再生層群
４１６              第１中間層群
４１７              第１バッファ層
４１８              サーボ層
４３１              第２カバー層
４３４              第２記録再生層群
４３６              第２中間層群
４３７              第２バッファ層
９０              光ピックアップ
９０Ａ            第１光ピックアップ
９０Ｂ            第２光ピックアップ
【図１】
2012208991.tif 000003
【図２】
2012208991.tif 000004
【図３】
2012208991.tif 000005
【図４】
2012208991.tif 000006
【図５】
2012208991.tif 000007
【図６】
2012208991.tif 000008
【図７】
2012208991.tif 000009
【図８】
2012208991.tif 000010
【図９】
2012208991.tif 000011
【図１１】
2012208991.tif 000012
【図１０】
2012208991.tif 000013